(57)【特許請求の範囲】
【請求項１】
外周面には係止あご部が形成されている、容器の円筒状の口頸部に適用される合成樹脂製容器蓋にして、円筒状の垂下壁を有し、該垂下壁の内周面には該口頸部の該係止あご部に係止せしめられる係止突条が形成されており、該係止突条が該係止あご部に係止せしめられることによって該口頸部に装着される蓋本体を具備し、該垂下壁を囲繞する円筒状の補強壁が配設されており、該補強壁は０．２乃至０．８ｍｍの幅である幅狭接続部を介して該垂下壁に接続されており、該補強壁にはその上端又は下端から該幅狭接続部まで延びる主破断ラインが形成され、該幅狭接続部は該主破断ラインの先端から周方向に連続して延在する易破断薄肉領域とこれに続いて周方向に延在する非破断厚肉領域とを含み、
該垂下壁には、該幅狭接続部における該易破断薄肉領域の下流側端部に、その下端から少なくとも該係止突条の上側まで延びる付加破断ラインが形成され、
該蓋本体には外蓋を具備し、該外蓋には天面壁と該天面壁の周縁から垂下する円筒状のスカート壁とを有し、
該スカート壁の内周面には雌螺条が形成されるとともに、該蓋本体の該補強壁の外周面には雄螺条が形成されており、該外蓋の該スカート壁に形成されている該雌螺条を該補強壁に形成されている雄螺条に螺合せしめることによって該外蓋が該蓋本体に装着され、
該蓋本体が該口頸部に装着された状態において、該補強壁は、該垂下壁が半径方向に拡がって該蓋本体が口頸部から離脱されるのを規制し、該垂下壁を補強するようにした、
ことを特徴とする容器蓋。
【請求項２】
該幅狭接続部は軸線方向において該係止突条よりも下方に配置されていて、該補強壁の下端を該垂下壁に接続しており、該主破断ラインは該補強壁の上端から該幅狭接続部まで延び,
該垂下壁の外周面と該補強壁の内周面との間には、上方に向かって漸次増大し該補強壁の上端においては０．７乃至１．３ｍｍである間隙が存在する、請求項1記載の容器蓋。
【請求項３】
該補強壁には、該幅狭接続部における該易破断薄肉領域の延在方向に見て該主破断ラインから下流側に所定間隔をおいて、その上端から該接続部に向かって延びる補助破断ラインが形成されている、請求項２記載の容器蓋。
【請求項４】
該垂下壁の内周面に形成されている該係止突条は、該幅狭接続部の該非破断厚肉領域の少なくとも一部に対応する角度範囲には存在しない、請求項１から３までのいずれかに記載の容器蓋。
【発明の詳細な説明】
【０００１】
【発明の属する技術分野】
本発明は、外周面には係止あご部が形成されている、容器の口頸部に適用される合成樹脂製容器蓋、更に詳しくは、垂下壁の内周面に形成されている係止突条を口頸部の係止あご部に係止せしめて口頸部に装着される形態の合成樹脂製容器蓋に関する。
【０００２】
【従来の技術】
当業者には周知の如く、液体調味料の如き内容物のための容器として、外周面に係止あご部が形成されている円筒状口頸部を備えた形態のものが広く使用されている。そして、かような容器の口頸部に適用される容器蓋として、合成樹脂製蓋本体とこれに組み合わされる合成樹脂製外蓋とから構成された形態のものが実用に供されている。蓋本体は円形頂面壁とこの頂面壁の周縁から垂下する円筒状の垂下壁とを含んでいる。頂面壁には破断ラインによって区画された分離領域である開封部が設けられている。この開封部には、上方に延びる連結柱とこの連結柱に接続された把持リングとが付設されている。頂面壁には開封部の外側から上方に延びる排出案内筒が配設されている。垂下壁の内周面には係止突条が形成されている。かような蓋本体は、容器の口頸部に被嵌せしめて垂下壁の内周面に形成されている係止突条を口頸部の外周面に形成されている係止あご部に係止せしめることによって、口頸部に装着される。蓋本体とは別個に形成され或いはヒンジ連結部を介して蓋本体と一体に形成され得る外蓋は、蓋本体に被嵌されて排出案内筒を覆う。内容物を排出する際には、外蓋を開動せしめて排出案内筒を露呈せしめる。次いで、把持リングに指を掛けてこれを引っ張って頂面壁に形成されている破断ラインを破断せしめ、開封部を分離して頂面壁に排出開口を生成せしめる。しかる後においては、容器を傾動せしめると、収容されている内容物が生成された排出開口を通して排出され、排出案内筒に案内されて注出される。
【０００３】
而して、近時においては、廃棄物を材料別に分別する所謂分別廃棄が要望されており、かかる要望を充足するためには、上述した容器蓋に関しては、容器内に収容されている内容物を消費した後に、外蓋のみならず蓋本体も、ガラス或いは異なった合成樹脂から形成されている容器から離脱して、容器とは別個に破棄することが必要である。
【０００４】
蓋本体を容器の口頸部から容易に除去することができるようになすために、実開平６−３２３５３号公報及び特開平７−５２９６３号公報には、蓋本体の垂下壁に適宜の形態の破断ラインを形成することが開示されている。かような破断ラインが形成されている蓋本体においては、容器の口頸部から蓋本体を離脱する際には、垂下壁に形成されている破断ラインを破断せしめて、口頸部の外周面に形成されている係止あご部に対する垂下壁の内周面に形成されている係止突条の係止を解除し、かくして口頸部から蓋本体を充分容易に離脱せしめることができる。
【０００５】
然るに、上記実開平６−３２３５３号公報及び特開平７−５２９６３号公報に開示されている上記形態の蓋本体には次のとおりの問題が存在する。即ち、容器の口頸部に蓋本体を装着する際には、垂下壁及び／又は係止突条を弾性変形せしめて、係止突条が口頸部の係止あご部を乗り越えるようにせしめることが必要であるが、この際に垂下壁に形成されている破断ラインに相当大きな力が作用し、これに起因して破断ラインが破断されてしまう虞が少なくない。
【０００６】
上記問題を解決するために、実開平７−８２４９号公報、実開平７−９７５１号公報及び特開平９−５８７１８号公報には、垂下壁の肉厚を幾分低減せしめると共に垂下壁に軸線方向に延びるスリットを１個又は複数個形成し、そして更に垂下壁を囲繞する補強壁を配設することが開示されている。かような補強壁を備えた蓋本体においては、容器の口頸部に蓋本体を装着した状態においては、補強壁によって垂下壁が補強され、容器の口頸部に装着されている蓋本体が口頸部から偶発的に離脱されてしまうことが充分確実に防止される。一方、容器の口頸部から蓋本体を離脱せしめる際には、垂下壁から補強壁を離脱せしめる。かくすると、垂下壁の肉厚が低減せしめられており、そしてまた垂下壁に軸線方向に延びるスリットが形成されている故に、垂下壁を上方に移動せしめる際に充分容易に半径方向外方に弾性的に変位せしめて、口頸部に形成されている係止あご部に対する垂下壁の内周面に形成されている係止突条の係止を解除することができ、従って充分容易に容器の口頸部から蓋本体を離脱することができる。
【０００７】
【発明が解決しようとする課題】
しかしながら、実開平７−８２４９号公報、実開平７−９７５１号公報及び特開平９−５８７１８号公報に開示されている容器蓋も未だ充分に満足し得るものではなく、次のとおりの問題を有する。第一に、実開平７−８２４９号公報及び実開平７−９７５１号公報に開示されている容器蓋においては、補強壁を蓋本体の垂下壁とは別個に成形し、垂下壁に組み付ける構成である故に、製作工程が比較的煩雑であり、製作コストが比較的高くなる。また、特開平９−５８７１８号公報に開示されている容器蓋に関しては、補強壁の内周面が垂下壁の外周面に密接せしめれている故に、射出成形又は圧縮成形のみによって成形することは不可能ではないにしても必ずしも容易ではなく、通常は、射出成形又は圧縮成形の後に切断工程を遂行して垂下壁と補強壁とを分離することが必要であり、従って実開平７−８２４９号公報及び実開平７−９７５１号公報に開示されている容器蓋と同様に製作工程が比較的煩雑であり、製作コストが比較的高くなる。更に、垂下壁から補強壁を離脱せしめる際には、補強壁を軸線方向に移動せしめて両者間に配設されている接続橋絡部を破断せしめることが必要であるが、かかる破断操作は必ずしも容易でない。
【０００８】
本発明は上記事実に鑑みてなされたものであり、その主たる技術的課題は、蓋本体の垂下壁を囲繞する補強壁が配設されている形態であり、容器の口頸部に蓋本体を装着した状態においては、補強壁によって垂下壁が補強され、容器の口頸部に装着されている蓋本体が口頸部から偶発的に離脱されてしまうことが充分確実に防止される形態であるにもかかわらず、垂下壁と共にこれを囲繞する補強壁を一体的に射出成形又は圧縮成形によって充分簡易且つ安価に製作され、そしてまた容器の口頸部から蓋本体を離脱する際には充分容易に垂下壁から補強壁を少なくとも部分的に離脱せしめて、垂下壁の補強作用を解除することができる、新規且つ改良された合成樹脂製容器蓋を提供することである。
【０００９】
【課題を解決するための手段】
上記主たる技術的課題を達成するために、本発明においては、垂下壁を囲繞する円筒状の補強壁が、０．２乃至０．８ｍｍの幅である幅狭接続部を介して垂下壁に接続される形態にせしめ、補強壁にはその上端又は下端から接続部まで延びる主破断ラインを形成し、幅狭接続部の少なくとも一部を易破断薄肉領域にせしめる。垂下壁と補強壁とを０．２ｍｍ以上の幅を有する幅狭接続部で接続する場合には、垂下壁と補強壁との間に挿入すべき環状成形型部片を過剰に肉薄のものにせしめてその強度を過剰に低減せしめる等の問題を発生せしめることなく、垂下壁と補強壁とを一体的に射出成形又は圧縮成形によって充分簡易且つ安価に製作することができる。一方、垂下壁と補強壁とを接続する幅狭接続部の幅は０．８ｍｍ以下であるので、補強壁の内周面を垂下壁の外周面に充分に近接せしめることができ、従って補強壁によって充分良好に垂下壁を補強することができる。垂下壁から補強壁を離脱せしめる際には、補強壁の主破断ラインを破断し、次いで補強壁の破断された端部から補強壁を漸次周方向及び半径方向外方に引っ張ることによって、幅狭接続部の易破断領域を破断せしめ、かくして補強壁により垂下壁の補強作用を確実にすることができる。
【００１０】
即ち、本発明によれば、上記主たる技術的課題を達成する合成樹脂容器蓋として、外周面には係止あご部が形成されている、容器の円筒状の口頸部に適用される合成樹脂製容器蓋にして、円筒状の垂下壁を有し、該垂下壁の内周面には該口頸部の該係止あご部に係止せしめられる係止突条が形成されており、該係止突条が該係止あご部に係止せしめられることによって該口頸部に装着される蓋本体を具備し、該垂下壁を囲繞する円筒状の補強壁が配設されており、該補強壁は０．２乃至０．８ｍｍの幅である幅狭接続部を介して該垂下壁に接続されており、該補強壁にはその上端又は下端から該幅狭接続部まで延びる主破断ラインが形成され、該幅狭接続部は該主破断ラインの先端から周方向に連続して延在する易破断薄肉領域とこれに続いて周方向に延在する非破断厚肉領域とを含み、該垂下壁には、該幅狭接続部における該易破断薄肉領域の下流側端部に、その下端から少なくとも該係止突条の上側まで延びる付加破断ラインが形成され、該蓋本体には外蓋を具備し、該外蓋には天面壁と該天面壁の周縁から垂下する円筒状のスカート壁とを有し、該スカート壁の内周面には雌螺条が形成されるとともに、該蓋本体の該補強壁の外周面には雄螺条が形成されており、該外蓋の該スカート壁に形成されている該雌螺条を該補強壁に形成されている雄螺条に螺合せしめることによって該外蓋が該蓋本体に装着され、該蓋本体が該口頸部に装着された状態において、該補強壁は、該垂下壁が半径方向に拡がって該蓋本体が口頸部から離脱されるのを規制し、該垂下壁を補強するようにした、ことを特徴とする容器蓋が提供される。
【００１１】
該幅狭接続部の幅は０．２乃至０．５ｍｍであるのが好適である。好ましくは、該幅狭接続部は該主破断ラインの先端から周方向に連続して延在する易破断薄肉領域とこれに続いて周方向に延在する非破断厚肉領域とを含んでいる。該幅狭接続部は軸線方向において該係止突条よりも下方に配置されていて、該補強壁の下端を該垂下壁に接続しており、該主破断ラインは該補強壁の上端から該幅狭接続部まで延びており、該垂下壁の外周面と該補強壁の内周面との間には、上方に向かって漸次増大し該補強壁の上端においては０．７乃至１．３ｍｍである間隙が存在するのが好適である。好適例においては、該補強壁は、該幅狭接続部における該易破断薄肉領域の延在方向に見て該主破断ラインの下流側において、該垂下壁の上端を越えて上方に突出せした把持部を備えている。該補強壁には、該幅狭接続部における該易破断薄肉領域の延在方向に見て該主破断ラインから下流側に所定間隔をおいて、その上端から該幅狭接続部に向かって延びる補助破断ラインが形成されているのが好都合である。容器の口頸部ら蓋本体を一層容易に離脱することができるようになすために、該垂下壁には、該幅狭接続部における該易破断薄肉領域の下流側端部に、その下端から少なくとも該係止突条の上側まで延びる付加破断ラインを形成することができ、そしてまた該垂下壁の内周面に形成されている該係止突条は、該幅狭接続部の該非破断厚肉領域の少なくとも一部に対応する角度範囲には存在しないように構成することができる。好適例においては、天面壁と該天面壁の周縁から垂下する円筒状のスカート壁とを有し、該スカート壁の内周面には雌螺条が形成されている外蓋を具備し、該補強壁の外周面には雄螺条が形成されており、該外蓋の該スカート壁に形成されている該雌螺条を該補強壁に形成されている雄螺条に螺合せしめることによって該外蓋が該蓋本体に装着される。該蓋本体は該円筒状垂下壁の上端に接続された頂面壁を含み、該頂面壁には破断ラインによって区画された開封部が設けられており、該頂面壁の該開封部には該開封部から上方に延びる連結柱及び該連結柱に接続された把持リングが付設されており、該頂面壁には、更に、該開封部の外側から上方に延びる排出案内筒が配設されている。
【００１２】
【発明の実施の形態】
以下、本発明に従って構成された合成樹脂製容器蓋の好適な実施形態について、添付図面を参照して更に詳細に説明する。
【００１３】
図１乃至図７には本発明に従って構成された合成樹脂製容器蓋の一実施形態が示されている。図において、全体を番号２で示す合成樹脂製容器蓋は、蓋本体４と該蓋本体４に離脱可能に装着された外蓋６とから構成されている。
【００１４】
ポリプロピレン又はポリエチレンの如き適宜の合成樹脂から一体成形することができる蓋本体４は、円形状の頂面壁４１と円筒状の垂下壁４２と円筒状の補強壁４３を備えている。頂面壁４１には、開封部４１０を区画するループ状に形成された破断ライン４１１が形成されている。この破断ライン４１１は、肉厚を低減せしめることによって形成されるスコアにより構成することができる。なお、破断ライン４１１によって区画される開封部４１０は、円形、楕円形或いは矩形等の適宜の形状でよい。開封部４１０の上面には開封用のプルリング４４が設けられている。このプルリング４４は、上記破断ライン４１１の内側において開封部４１０の上面から上方に延びる連結柱４４１と、該連結柱４４１の上端に形成されたリング部４４２とからなっている。頂面壁４１には、上記破断ライン４１１の外側上面から上方に突出して形成されたラッパ形状の排出案内筒４５が設けられている。また、頂面壁４１には、上記破断ライン４１１の外側下面から下方に突出して形成された略円筒状のシール筒４６が設けられている。
【００１５】
上記円筒状の垂下壁４２は、図４に示すように円形状の頂面壁４１の周囲から下方に突出して形成されている。この円筒状の垂下壁４２の内周面には、その全周にわたって係止突条４２１が形成されている。
【００１６】
上記円筒状の補強壁４３は、円筒状の垂下壁４２を囲繞して配設され、その外周には雄螺条４３１が形成されている。この円筒状の補強壁４３は、図示の実施形態においてはその下端が円筒状の垂下壁４２の下端と幅狭接続部４７によって接続されている。この幅狭接続部４７の幅（Ｓ）は、図示の実施形態においては０．２乃至０．８ｍｍに設定されている。なお、幅狭接続部４７の幅（Ｓ）は、０．２乃至０．５ｍｍに設定するのがより好ましい。垂下壁４２と補強壁４３は上記幅狭接続部４７以外には分離されていることが重要であり、この両者を分離して成形するには、蓋本体４の成形時には両者を分離するための環状成形型部片を配設する必要がある。しかるに、環状成形型部片は、通常調質鋼で製作されるが、０．２ｍｍ未満の厚さでは強度的に弱く、耐久性の面で大量生産に適しないことが本発明者等の実験の結果判った。一方、上記幅狭接続部４７の幅（Ｓ）を大きく設定すれば上記環状成形型部片を厚くすることができ強度的に問題ないが、垂下壁４２と補強壁４３との間隙が大きくなってしまう。垂下壁４２と補強壁４３との間隙が大きいと、蓋本体４を後述する容器の口頸部に装着する際に垂下壁４２が拡張せしめられるとき補強壁４３が機能することができない。本発明者等の実験によれば、垂下壁４２と補強壁４３との間隙は０．８ｍｍを越えると補強壁４３による補強機能が急激に減少することが判った。補強壁４３による補強機能は、垂下壁４２と補強壁４３との間隙が０．５ｍｍ以下がより好ましいことも判った。なお、図示の実施形態においては、垂下壁４２の外周面と補強壁４３の内周面との間の間隙は下方から上方に向かって漸次増大するように形成されている。この間隙は補強壁４３の上端において０．７乃至１．３ｍｍであるのが好ましい。このように、垂下壁４２の外周面と補強壁４３の内周面との間の間隙を下方から上方に向かって漸次増大するように形成することにより、蓋本体４の成形時における環状成形型部片の型抜きが容易となる。また、上記間隙を補強壁４３の上端において０．７乃至１．３ｍｍに設定することにより、後述する破断ラインを破断する際に補強壁４３の上端に指を掛けることが容易となる。上記幅狭接続部４７は、図示の実施形態においては易破断薄肉領域（Ｘ）とこれに続いて周方向に延在する非破断厚肉領域（Ｙ）とを含んでいる。図示の実施形態においては、図３に示すように上記易破断薄肉領域（Ｘ）は約３００度の角度範囲に設けられており、上記非破断厚肉領域（Ｙ）は約６０度の角度範囲に設けられている。易破断薄肉領域（Ｘ）を形成する幅狭接続部４７の厚さ（ｔ１）は、０．２ｍｍ程度に設定されており、非破断厚肉領域（Ｙ）を形成する幅狭接続部４７の厚さ（ｔ２）は、１．０ｍｍ程度に設定されている。従って、幅狭接続部４７の易破断薄肉領域（Ｘ）は容易に破断することができるが、非破断厚肉領域（Ｙ）は通常の力では破断しないようになっている。なお、図示の実施形態においては、幅狭接続部４７を補強壁４３の下端に設けた例を示したが、この幅狭接続部４７は上記垂下壁４２に設けられた係止突条４２１の下側であれば中間部でもよい。
【００１７】
上記のように構成された円筒状の補強壁４３には、図２および図３に示すように上記薄肉易破断領域（Ｘ）の非破断厚肉領域（Ｙ）に隣接する位置にその上端から幅狭接続部４７まで延びる主破断ライン４３２が形成されている。この主破断ライン４３２は、図示の実施形態においては肉厚を低減せしめることによって形成されるスコア４３２ａと上記雄螺条４３１に形成された切欠溝４３２ｂとによって構成されている。また、円筒状の補強壁４３には、上記易破断薄肉領域（Ｘ）の延在方向に見て主破断ライン４３２から下流側に所定間隔をおいて、その上端から幅狭接続部４７に向かって延びる補助破断ライン４３３が形成されている。この補助破断ライン４３３も肉厚を低減せしめることによって形成されるスコアスコア４３３ａと上記雄螺条４３１に形成された切欠溝４３３ｂとによって構成されている。なお、補助破断ライン４３３は、図示の実施形態においては図２に示すように幅狭接続部４７まで達しておらず中間部で終わっている。また、図示の実施形態においては図２に示すように補強壁４３における上記主破断ライン４３２と補助破断ライン４３３との間の部分は、上記垂下壁４２の上端を越えて上方に突出して形成されており、把持部４３４を構成している。
【００１８】
次に、外蓋６について図１及び図５を参照して説明する。ポリプロピレン又はポリエチレンの如き適宜の合成樹脂から一体成形することができる外蓋６は、実質上水平に延在する天面壁６１と該天面壁６１の周縁から垂下する円筒状のスカート壁６２とによって構成されている。天面壁６１の下面には、下方に延びる円筒形状のシール壁６１１が設けられており、このシール壁６１１の外周面が上記蓋本体４に設けられた排出案内筒４５の上端部内周面と接触するように構成されている。上記スカート壁６２の内周面には、上記円筒状の補強壁４３の外周に形成された雄螺条４３１と螺合する雌螺条６２１が形成されている。
【００１９】
上記のように構成された合成樹脂製容器蓋２は、図１の示すようにポリエチレンテレフタレートの如き適宜の合成樹脂あるいはガラス等から形成されている容器８に装着される。容器８は、外周面には係止あご部８１１が形成されている円筒状の口頸部８１を備えている。合成樹脂製容器蓋２は、容器８内に液体等の内容物が収納された後に、その口頸部８１に打栓することにより装着される。合成樹脂製容器蓋２の打栓により、蓋本体４を構成するシール筒４６の外周面は容器口頸部８１の内周面に圧入され、垂下壁４２の係止突条４２１は容器口頸部８１の外周面に形成された係止あご部８１１を乗り越えた位置に位置付けらて装着される。この係止あご部８１１を乗り越える際に垂下壁４２は拡張されるが、垂下壁４２の外側には補強壁４３が配設されているので、垂下壁４２のの肉厚を薄くしても垂下壁４２に形成された係止突条４２１の保持力を確保することができる。
【００２０】
上記のようにして口頸部８１に合成樹脂製容器蓋２を打栓した状態で内容物が収納された容器８は搬送および保管される。そして、容器８内に収納された内容物を注出する場合には、上蓋６を反時計方向に回動して蓋本体４から外し、蓋本体４に設けられたプルリング４４を引っ張ると、破断ライン４１１が破断して開封部４１０が除去される。このようにして開封部４１０が除去されると、容器８を傾けることにより内容物を注出することができる。
【００２１】
次に、容器８内に収納された内容物が全て消費され、容器８と合成樹脂製容器蓋２を分別して回収する手順について説明する。
容器８と合成樹脂製容器蓋２を分別するには、先ず上蓋６を反時計方向に回動して蓋本体４から外す。次に、蓋本体４の補強壁４３の上端に設けられた把持部４３４に指を掛けて外側に引っ張ると、図６に示すように主破断ライン４３２が破断されるとともに、補助破断ライン４３３が破断せしめられる。このとき、主破断ライン４３２は垂下壁４２と補強壁４３の下端を接続する幅狭接続部４７まで延びているので、幅狭接続部４７まで破断される。一方、補助破断ライン４３３は幅狭接続部４７まで達していないので、補強壁４３の中間部まで破断される。このように、主破断ライン４３２及び補助破断ライン４３３が各々図６に示すように破断されたならば、把持部４３４を更に引っ張ると、先ず主破断ライン４３２の下側の幅狭接続部４７が破断され、次いで図７に示すように上記易破断薄肉領域（Ｘ）が順次破断され、非破断厚肉領域（Ｙ）まで破断される。このようにして、幅狭接続部４７の易破断薄肉領域（Ｘ）が破断されると、補強壁４３による垂下壁４２への拘束が解除されて補強機能が喪失するので、垂下壁４２は半径方向に拡がることが可能となる。従って、把持部４３４を上方に引っ張ることにより蓋本体４を容器８の口頸部８１から容易に離脱することができる。
【００２２】
次に、図８及び図９を参照して、本発明に従って構成された合成樹脂製容器蓋の他の実施形態について説明する。なお、図８及び図９の実施形態においては、上記図１乃至図７に示す実施形態と同一部材には同一符号を付して、その説明を省略する。
図８及び図９に示す実施形態は、上記垂下壁４２における上記易破断薄肉領域（Ｘ）の下流側端部、即ち主破断ライン４３２と反対側の易破断薄肉領域（Ｘ）の端部に対応する位置に、その下端から少なくとも上記係止突条４２１の上側まで延びる付加破断ライン４２３を設けたものである。この付加破断ライン４２３は、肉厚を低減せしめることによって形成されるスコアにより構成することができる。このように垂下壁４２に付加破断ライン４２３を設けることにより、蓋本体４の取り外し時に幅狭接続部４７の易破断薄肉領域（Ｘ）を破断した後に補強壁４３を上方に引っ張る際に、垂下壁４２の付加破断ライン４２３が破断して蓋本体４を容器８の口頸部８１から更に容易に離脱することができる。
【００２３】
次に、図１０及び図１１を参照して、本発明に従って構成された合成樹脂製容器蓋の更に他の実施形態について説明する。なお、図１０及び図１１の実施形態においては、上記図１乃至図７および図８及び図９に示す実施形態と同一部材には同一符号を付して、その説明を省略する。
図１０及び図１１に示す実施形態においては、上記垂下壁４２の内周面に設けられた係止突条４２１は、少なくとも上記非破断厚肉領域（Ｙ）の一部に対応する所定角度範囲領域４２５には存在しないように構成したものである。なお、この係止突条４２１が存在しない領域４２５は、図示の実施形態においては上記易破断薄肉領域（Ｘ）の下流側端部、即ち主破断ライン４３２と反対側の易破断薄肉領域（Ｘ）の端部に近接する位置に設けられている。このように垂下壁４２に設けられた上記非破断厚肉領域（Ｙ）の一部に対応する所定角度範囲には上記係止突条４２１が存在しない領域４２５が設けられているので、蓋本体４の取り外し時に幅狭接続部４７の易破断薄肉領域（Ｘ）を破断した後に補強壁４３を上方に引っ張る際に、係止突条４２１が存在しない領域４２５の係止力が低下するため、蓋本体４を容器８の口頸部８１から容易に離脱することができる。
【００２４】
以上、添付図面を参照して、本発明に従って構成された合成樹脂製容器蓋の好適実施形態について説明したが、本発明は上記実施形態に限定されるものではなく、本発明の範囲を逸脱することなく種々の変形乃至修正が可能である。
【００２５】
【発明の効果】
本発明に従って構成された合成樹脂製容器蓋は以上のように構成されているので、以下の作用効果を奏する。
【００２６】
即ち、垂下壁を囲繞する円筒状の補強壁が配設されており、該補強壁は０．２乃至０．８ｍｍの幅である幅狭接続部を介して該垂下壁に接続されているので、蓋本体の成形時に垂下壁と補強壁とを分離するための環状成形型部片の耐久性を確保することができるとともに、蓋本体を容器の口頸部に装着する際に垂下壁が拡張せしめられるとき補強壁が十分に機能することができる。
また、補強壁にはその上端又は下端から幅狭接続部まで延びる主破断ラインが形成され、幅狭接続部の少なくとも一部は易破断領域であるため、容器と合成樹脂製容器蓋を分別する際に、上記補強壁の主破断ラインを破断した後に幅狭接続部の易破断領域を破断することにより、容器の口頸部から蓋本体を離脱するとき垂下壁への補強機能が少なくとも部分的に喪失するので、補強壁を上方に引っ張ることにより蓋本体を容器の口頸部から容易に離脱することができる。
【図面の簡単な説明】
【図１】本発明に従って構成された合成樹脂製容器蓋の一実施形態を示すもので、容器の口頸部に装着した状態を示す断面図。
【図２】図１に示す合成樹脂製容器蓋を構成する蓋本体の正面図。
【図３】図２に示す蓋本体の平面図。
【図４】図３におけるＡ−Ａ線断面図。
【図５】図１に示す合成樹脂製容器蓋を構成する蓋本体と外蓋とを分解して示す断面図。
【図６】図１に示す合成樹脂製容器蓋を構成する蓋本体の補強壁の一部を破断した状態を示す正面図。
【図７】図１に示す合成樹脂製容器蓋を構成する蓋本体の補強壁の一部を破断した状態を示す平面図。
【図８】本発明に従って構成された合成樹脂製容器蓋の他の実施形態を示すもので、合成樹脂製容器蓋を構成する蓋本体の底面図。
【図９】図８におけるＢ−Ｂ線断面図。
【図１０】本発明に従って構成された合成樹脂製容器蓋の更に他の実施形態を示すもので、合成樹脂製容器蓋を構成する蓋本体の底面図。
【図１１】図１０におけるＣ−Ｃ線断面図。
【符号の説明】
２：合成樹脂製容器蓋
４：蓋本体
４１：頂面壁
４１０：開封部
４１１：弱化ライン
４２：垂下壁
４２１：係止突条
４２３：付加破断ライン
４３：補強壁
４３１：雄螺条
４３２：主破断ライン
４３３：補助破断ライン
４３４：把持部
４４：プルリング
４４１：連結柱
４４２：リング部
４５：排出案内筒
４６：シール筒
４７：幅狭接続部
６１：天面壁
６１１：シール壁
６２：スカート壁
６２１：雌螺条
８：容器
８１：口頸部
８１１：係止あご部
【図１】
0004060403.tif 000002
【図２】
0004060403.tif 000003
【図３】
0004060403.tif 000004
【図４】
0004060403.tif 000005
【図５】
0004060403.tif 000006
【図６】
0004060403.tif 000007
【図７】
0004060403.tif 000008
【図８】
0004060403.tif 000009
【図９】
0004060403.tif 000010
【図１０】
0004060403.tif 000011
【図１１】
0004060403.tif 000012